(57)【要約】      （修正有）【課題】店舗でのＰＯＳ等の設備を不要とし且つ店舗間で共通に利用して決済を行うことができる決済処理システムを提供する。【解決手段】決済処理システム１は、店舗間で共通に利用可能な決済端末と、前記店舗毎に少なくとも一つ配置され、前記決済端末が使用された前記店舗を一意に特定するための店舗承認装置と、前記店舗承認装置が一意に承認した情報の承認処理を行う承認サーバと、を有する。前記決済端末は、商行為情報入力部と、カード情報入力部と、店舗承認入力部と、通信部とを備える。前記店舗承認装置をもって、決済端末が使用された前記店舗を一意に特定し、承認サーバをもって、前記店舗承認装置が一意に承認した情報の承認処理を行い、これらの一連の処理が店舗毎に実行される決済処理システム。【選択図】図１
2018018519.tif 000002
【特許請求の範囲】
【請求項１】
店舗における商行為の決済処理を決済サーバで行う決済処理システムにおいて、
前記店舗内での商行為のために用いる決済端末は前記店舗間で共通に利用可能であり、
前記店舗毎に少なくとも一つ配置され、前記決済端末が使用された前記店舗を一意に特定するための店舗承認装置と、
前記店舗承認装置が一意に承認した情報の承認処理を行う承認サーバと、
を有し、
前記決済端末は、
前記店舗内での前記商行為の情報を取得する商行為情報入力部と、
前記商行為のために発行されたカードのカード情報を取得するカード情報入力部と、
前記承認サーバが一意に承認した前記店舗の情報を取得する店舗承認入力部と、
前記商行為の情報及び前記カード情報に加えて前記店舗の情報を紐付けした決済情報を前記決済サーバに出力する通信部と、
を備えたことを特徴とする決済処理システム。
【請求項２】
前記決済端末は前記商行為情報入力部に入力された前記商行為の情報を表示する表示部を有し、
前記店舗承認装置は、前記表示部に表示された前記商行為の前記情報に対応させて前記店舗を一意に特定すること
を特徴とする請求項１に記載の決済処理システム。
【請求項３】
前記決済端末はタッチパネルを有し、
前記店舗承認装置は、前記タッチパネルのパネル面に前記店舗を一意に特定する情報を入力すること
を特徴とする請求項１又は請求項２に記載の決済処理システム。
【請求項４】
前記店舗承認装置は、前記タッチパネルのパネル面に接触させる複数の接触子を有し、
前記複数の接触子の座標面上の配置が、前記店舗を一意に特定する情報を構成することを特徴とする請求項３に記載の決済処理システム。
【請求項５】
前記承認サーバは、前記店舗承認装置が配置された前記店舗の情報の店舗マスタ及び前記店舗が取り扱う商行為の対象品の商品マスタを記憶しており、前記記憶している前記店舗の情報を読み出して前記決済端末の前記店舗承認入力部に出力し、前記商行為の対象品を読み出して前記決済端末の前記商行為情報入力部に出力し、
前記商行為情報入力部は、前記商行為の対象品の情報に基づいて前記商行為の前記情報を入力することを特徴とする請求項１乃至請求項３のいずれか１に記載の決済処理システム。
【請求項６】
前記決済サーバは、前記店舗承認装置が配置された前記店舗の情報の店舗マスタ及び前記店舗が取り扱う商行為の対象品の商品マスタを記憶しており、前記記憶している前記店舗の情報を読み出して前記決済端末の前記店舗承認入力部に出力し、前記商行為の対象品を読み出して前記決済端末の前記商行為情報入力部に出力し、
前記商行為情報入力部は、前記商行為の対象品の情報に基づいて前記商行為の前記情報を入力することを特徴とする請求項１乃至請求項３のいずれか１に記載の決済処理システム。
【請求項７】
前記商行為が行われる前記店舗内に、前記店舗承認装置が２以上配置され、
前記２以上の店舗承認装置は、前記店舗内の任意の位置で前記店舗をそれぞれ同一店舗として特定すること
を特徴とする請求項１に記載の決済処理システム。
【請求項８】
前記店舗承認装置は、前記店舗を特定する情報に加えて、商行為の情報を分類するための特性情報を付加しており、
前記店舗承認装置は、前記特性情報毎に使い分けて統計情報を取得すること
を特徴とする請求項７に記載の決済処理システム。
【請求項９】
前記決済サーバは、前記商行為の情報及び前記カード情報に加えて前記店舗の情報を紐付けした決済情報に基づいて決済処理を行うことを特徴とする請求項１に記載の決済処理システム。
【発明の詳細な説明】
【技術分野】
【０００１】
本発明は、店舗でのＰＯＳ等の設備を不要とし且つ店舗間で共通に利用して決済を行うことができる決済処理システムに関する。
【背景技術】
【０００２】
店舗内で商行為が行われ、その商行為に伴って商品の販売やサービスの提供が行われた場合、その商行為の決済をする必要がある。この決済処理は店舗内に設置したＰＯＳシステムを利用して行うのが一般的であった。そのＰＯＳシステムを利用する場合は、その設備費が嵩むことになり、このＰＯＳシステムに代る決済システムが種々提案されている（特許文献１乃至特許文献４）。
提案されている決済システムはスマートフォンやタブレット等にクレジットカード等の読取装置を接続するなどして決済に必要な情報を取得し、スマートフォンやタブレット等の通信機能を利用して決済サーバとの間に決済情報の遣り取りを行い、決済サーバで前記決済情報に基づいて決済処理を行っていた。
【先行技術文献】
【特許文献】
【０００３】
【特許文献１】特開２０１２−２５２６６５号公報
【特許文献２】特開２０１３−２０６２５６号公報
【特許文献３】特開２０１４−０７５０３８号公報
【特許文献４】特開２０１５−１８５０８９号公報
【発明の概要】
【発明が解決しようとする課題】
【０００４】
しかしながら、特許文献１乃至特許文献４に開示されている決済ステムを複数の店舗間に渡って店舗内で商品の購入のために貸与されるスマートフォンやタブレット等に応用した場合には、同一の店舗内での使用であれば、決済端末として使用しても問題が発生することはないが、別の店舗内で決済端末として使用した場合には問題が発生する。すなわち、Ａ店舗用の決済端末を用いて、Ｂ店舗で決済しても、決済端末が保有する店舗情報（固定）は変わらないため、決済情報（店舗情報＋商品情報＋クレジットカード情報）としては、Ａ店舗で購入したものと誤った情報となってしまう。
従って、スマートフォンやタブレット等を決済端末として貸与しても、例えばＡ店舗やＢ店舗間で共通に利用できないという課題があった。
【０００５】
特許文献４に示すように、スマートフォンやタブレット等の決済端末を店舗内で商品の購入者に貸与する決済システムでは、商品の購入者に貸与するスマートフォンやタブレット等に前記店舗に関する情報を入力し、同一の店舗内で貸与された購入者はスマートフォンやタブレットの使用が可能であるが、他の店舗で使用することが出来ない。
【０００６】
例えば、観光地等において、その観光地を訪れる来訪者が店舗を渡り歩いて商品を購入する場合があり、異なる店舗毎にＰＯＳシステムに代えてスマートフォンやタブレットを決済端末として使用することにより、商品を購入することができれば都合が良いものである。
【０００７】
しかし、特許文献１乃至特許文献４に示されたスマートフォンやタブレット等の決済端末を上述した例のように例えば観光地を訪れる来訪者が異なる店舗で貸与する決済端末に応用した場合、Ａ店舗用の決済端末を用いて、Ｂ店舗で決済しても、決済端末が保有する店舗情報（固定）は変わらないため、決済情報（店舗情報＋商品情報＋クレジットカード情報）としては、Ａ店舗で購入したものと誤った情報となってしまう。
【０００８】
本発明の目的は、店舗でのＰＯＳ等の設備を不要とし且つ店舗間で共通に利用して決済を行うことができる決済処理システムを提供することにある。
【課題を解決するための手段】
【０００９】
上記課題を解決するため、本発明に係る決済処理システムは、店舗における商行為の決済処理を決済サーバで行う決済処理システムにおいて、前記店舗内での商行為のために用いる決済端末は前記店舗間で共通に利用可能であり、前記店舗毎に少なくとも一つ配置され、前記決済端末が使用された前記店舗を一意に特定するための店舗承認装置と、前記店舗承認装置が一意に承認した情報の承認処理を行う承認サーバと、を有し、前記決済端末は、前記店舗内での前記商行為の情報を取得する商行為情報入力部と、前記商行為のために発行されたカードのカード情報を取得するカード情報入力部と、前記承認サーバが一意に承認した前記店舗の情報を取得する店舗承認入力部と、前記商行為の情報及び前記カード情報に加えて前記店舗の情報を紐付けした決済情報を前記決済サーバに出力する通信部と、を備えたことを特徴とする。
【００１０】
本発明に係る決済処理システムの前記決済端末は前記商行為情報入力部に入力された前記商行為の情報を表示する表示部を有し、前記店舗承認装置は、前記表示部に表示された前記商行為の前記情報に対応させて前記店舗を一意に特定することを特徴とする。
【００１１】
本発明に係る決済処理システムの前記決済端末はタッチパネルを有し、前記店舗承認装置は、前記タッチパネルのパネル面に前記店舗を一意に特定する情報を入力することを特徴とする。
【００１２】
本発明に係る決済処理システムの前記店舗承認装置は、前記タッチパネルのパネル面に接触させる複数の接触子を有し、前記複数の接触子の座標面上の配置が、前記店舗を一意に特定する情報を構成することを特徴とする。
【００１３】
本発明に係る決済処理システムの前記承認サーバは、前記店舗承認装置が配置された前記店舗の情報の店舗マスタ及び前記店舗が取り扱う商行為の対象品の商品マスタを記憶しており、前記記憶している前記店舗の情報を読み出して前記決済端末の前記店舗承認入力部に出力し、前記商行為の対象品を読み出して前記決済端末の前記商行為情報入力部に出力し、前記商行為情報入力部は、前記商行為の対象品の情報に基づいて前記商行為の前記情報を入力することを特徴とする。
【００１４】
本発明に係る決済処理システムの前記決済サーバは、前記店舗承認装置が配置された前記店舗の情報の店舗マスタ及び前記店舗が取り扱う商行為の対象品の商品マスタを記憶しており、前記記憶している前記店舗の情報を読み出して前記決済端末の前記店舗承認入力部に出力し、前記商行為の対象品を読み出して前記決済端末の前記商行為情報入力部に出力し、前記商行為情報入力部は、前記商行為の対象品の情報に基づいて前記商行為の前記情報を入力することを特徴とする。
【００１５】
本発明に係る決済処理システムは、前記商行為が行われる前記店舗内に、前記店舗承認装置が２以上配置され、前記２以上の店舗承認装置は、前記店舗内の任意の位置で前記店舗をそれぞれ同一店舗として特定することを特徴とする。
【００１６】
本発明に係る決済処理システムの前記店舗承認装置は、前記店舗を特定する情報に加えて、商行為の情報を分類するための特性情報を付加しており、前記店舗承認装置は、前記特性情報毎に使い分けて統計情報を取得することを特徴とする。
【００１７】
本発明に係る決済処理システムの前記決済サーバは、前記商行為の情報及び前記カード情報に加えて前記店舗の情報を紐付けした決済情報に基づいて決済処理を行うことを特徴とする。
【発明の効果】
【００１８】
以上のように本発明によれば、店舗承認装置を店舗毎に少なくとも一つ配置し、前記店舗承認装置をもって、決済端末が使用された前記店舗を一意に特定し、承認サーバをもって、前記店舗承認装置が一意に承認した情報の承認処理を行うため、これらの一連の処理が店舗毎に実行されることになり、店舗間で決済端末を使用しても、決済を行う店舗に対応させて店舗情報が切り替わることになり、決済端末を店舗間で共通に利用することができる。
【００１９】
以上のような効果を有するものであるから、例えば外国からの観光者に決済端末を貸与し、貸与された同一の決済端末を旅行先の様々な異なる店舗での商行為の決済処理に使用することができることになる。
【００２０】
さらに、本発明によれば、店舗承認装置のみを設置するだけでそれ以外の設備を設置する必要がなく、設備費が嵩むＰＯＳシステムに代えて決済サーバで決済処理を実行できることになる。
【００２１】
また、本発明によれば、決済には顧客のカードと、決済端末と、店舗承認装置とが必要であるが、顧客はカードを所持し、各店舗は店舗承認装置を所持し、所持する者が異なる。また決済端末の記憶部にはカード、店舗に関する情報を記憶していないので、高いセキュリティを確保することができる。
【００２２】
また、本発明によれば、承認サーバ又は決済サーバは、店舗承認装置が配置された店舗の情報及び店舗が取り扱う商行為の対象品の商品マスタを記憶しており、記憶している店舗の情報及び商品マスタを読み出して決済端末の商行為情報入力部に入力することできるため、商行為の情報を簡単に入力することが可能となる。
【００２３】
また、本発明によれば、店舗承認装置は、商行為が行われる店舗内に１以上配置されているため、購入者が商品を選択したその場所で商品に関する情報を即座に入力することができ、複数の販売員がそれぞれ店舗承認装置を携帯し、それぞれの販売員が個別に商品の情報を入力することができる。
【００２４】
また、本発明によれば、店舗承認装置は、決済端末のタッチパネルのパネル面に接触させる複数の接触子を有し、複数の接触子の座標面上の配置が、店舗を一意に特定する情報を構成する。これにより、店舗承認装置を簡素化できるため、安価に提供することができる。
【００２５】
また、本発明によれば、前記店舗を特定する情報に加えて、商行為の情報を分類するための特性情報を付加して、商行為が行われる店舗内に店舗承認装置が２以上配置することにより、例えば、同一店舗内に「男女別」「年代別」等の店舗承認装置用意し、店舗承認装置を使い分けることで統計を取得することが可能となり、顧客のニーズ、動向等を知ることができる。
【図面の簡単な説明】
【００２６】
【図１】本発明に係る決済処理システムの構成を示すブロック図である。
【図２】第１の実施形態に関する決済処理システムにおける装置間の情報の流れ、動作を示す図である。
【図３】第１の実施形態に関する決済処理システムにおける動作のフローチャートである。
【図４】決済端末の表示部に表示された決済を行うための決済表示画面の一例を示す図である。
【図５】決済端末の表示部に表示された決済完了を通知するための決済完了表示画面の一例を示す図である。
【図６】第２の実施形態に関する決済処理システムにおける装置間の情報の流れ、動作を示す図である。
【図７】第２の実施形態に関する決済処理システムにおける動作のフローチャートである。
【図８】第３の実施形態に関する決済処理システムにおける装置間の情報の流れ、動作を示す図である。
【図９】第３の実施形態に関する決済処理システムにおける動作のフローチャートである。
【発明を実施するための形態】
【００２７】
本発明は、商行為の決済処理を、顧客が所持する（貸与された）店舗間で共通に利用可能な決済端末と、店舗に配置される前記決済端末が使用された前記店舗を一意に特定するための店舗承認装置とによって、顧客の商行為のために発行されたカードによる決済を、店舗にＰＯＳ等の設備を不要として決済を行うことができる、決済処理システムである。以下では、顧客の商行為のために発行されたカードとして複数のクレジットカード会社が発行する後払いのクレジットカードを用いた場合を例にとって説明するが、顧客の商行為のために発行されたカードとして前記クレジットカードに限定するものではなく、他のカードであってもよく、例えば、前払いの電子マネーカードであってもよい。以後の説明では、商行為のために発行されたカード３３をクレジットカード３３と記す。
【００２８】
本発明では、決済端末の記憶部は店舗に関する情報及び顧客に係る情報を記憶していないことから、同一の決済端末を他の店舗間で共通に利用することができる。
また、商行為の決済には、顧客の所持するクレジットカード３３と、決済端末５と、各店舗内に配置される店舗承認装置３５とが必要である。顧客はクレジットカード３３を所持し、店舗は店舗承認装置３５が配置されており、所持する者が異なる。
【００２９】
以下図面を参照して、本発明による決済処理システムを実施するための最良の形態について説明する。
【００３０】
図１は、本発明に係る決済処理システムの構成を示すブロック図である。図１に示すように、決済処理システム１は、顧客又は店舗が所有し、店舗間で共通に利用可能な決済端末５と、店舗が所有し、店舗を一意に特定するための店舗承認装置３５と、店舗承認装置３５が一意に承認した情報の承認処理を行う承認サーバ４０と、商行為の決済処理を行う決済サーバ５０と、決済端末５と承認サーバ４０、決済サーバ５０との通信を行うための通信ネットワーク７０とを有している。
【００３１】
なお、本発明における商行為とは、店舗での商品販売、旅行での宿泊代金の支払い、チケットの購入等を含む決済を伴う行為をいう。また、本発明における店舗とは、建築物に設置された一般的な店舗のみならず、フリーマーケットやワゴン販売など、商取引において金銭の支払い行為が生じる場所のことをいう。また、店舗での商行為の対象としては、商品ばかりでなくサービスなども含まれるものであり、商取引において金銭の支払いの対象となりうるものであれば、有体物ばかりではなく無体物も含むものである。
【００３２】
決済端末５は、例えば、タブレット端末からなり、コンピュータからなる制御部６を備えている。決済端末５の制御部６は、入力部７、表示部１７、カード読み取り部３０、及び通信部２５とを有している。なお、決済端末５は、タブレット端末に限定するものではなく、スマートフォン、決済専用の端末など、他の装置であってもよく、これに限定するものではない。
【００３３】
制御部６は、コンピュータで構成されており、決済端末５の全体の制御を行う。制御部６のコンピュータは、決済用プログラムを前もって記憶しており、決済用プログラムを実行することにより各種の決済処理を行う。
【００３４】
決済端末５の入力部７は、商行為の情報、承認情報等を入力するものであり、決済端末５の商行為の情報を入力し、一時記憶する商行為情報入力部８と、決済端末が使用された店舗を一意に特定する情報を取得して記憶する承認情報入力部９と、商行為のために発行されたカード３３から読み取ったカード情報を取得するカード情報入力部１１と、店舗承認装置３５が一意に特定した情報に基づいて承認サーバ４０が承認した店舗の情報（店舗ＩＤ）を取得する店舗承認入力部１２とを有している。
【００３５】
決済端末５の商行為情報入力部８は、決済端末５の商行為の情報を入力し、一時記憶するものである。ここで、商行為の情報とは、表示部から入力された購入商品名、金額等である。また、前記店舗が免税店であり、免税品に係る商行為を行う場合は、その免税店での前記商行為の情報として、法で定められたパスポートに関する情報を取得するようにしても良い。
【００３６】
また、承認サーバ４０、決済サーバ５０が商品マスタを有する場合、承認サーバ４０から店舗の情報及び商品マスタを読み出して、商品マスタから店舗の情報及び店舗が取り扱う商行為の対象品を商行為の情報として商行為情報入力部８に一時記憶してもよい。
【００３７】
図１に示す店舗承認装置３５は、店舗を一意に特定するためのものであり、店舗を一意に特定し、顧客が商品、サービスに対してクレジットカード３３により支払った決済額を店舗として承認するための装置である。
決済端末５の承認情報入力部９は、店舗承認装置３５によって入力された、決済端末が使用された店舗を一意に特定する情報を取得して記憶するものである。
【００３８】
決済端末５の表示部１７は、商行為情報入力部８に入力された商行為の情報を表示するものである。また、表示部１７は、各種の情報を表示し、更に、情報を入力することが可能なタッチパネル式となっている。決済処理において、商行為の情報に対応させて店舗承認装置３５として、例えば、接触して店舗の承認を行う電子スタンプ３５によって表示部１７に接触された店舗承認装置３５の複数の接触子３７の座標面上の配置を読み取って、複数の接触子３７の座標面上の配置のデータを店舗承認情報として承認情報入力部９に出力する。
【００３９】
決済端末５の通信部２５は、決済情報出力部２６と承認情報出力部２７とを有している。
決済端末５の決済情報出力部２６は、商行為情報入力部８が記憶する商行為の情報及びカード情報入力部１１のカード情報に店舗承認入力部１２が記憶する店舗の情報（店舗ＩＤ）を紐付けした決済情報を決済サーバ５０に出力する。
【００４０】
決済端末５の承認情報出力部２７は、商行為の情報に対応させて店舗承認装置３５により店舗を一意に特定するため入力された情報（店舗承認情報）を承認情報入力部９から読み出して承認サーバ４０に出力して、承認サーバ４０からの一意に承認した店舗の情報（店舗ＩＤ）を受信して、前記店舗の情報（店舗ＩＤ）を店舗承認入力部１２に出力する。
【００４１】
本発明で決済情報とは、商行為情報入力部８が取得した商行為の情報及びカード情報入力部１１が取得したカード情報並びに店舗承認入力部１２が取得した前記店舗の情報（店舗ＩＤ）とを紐付けしたものである。具体的には、購入商品の商品名、個数、商品の金額、消費税、合計金額等の商行為の情報と、クレジットカード３３のカード番号等のカード情報、購入日付等のカード情報と、商行為が行われて店舗承認装置が一意に特定した店舗名等の店舗情報が含まれる。
【００４２】
決済端末５は、決済用のクレジットカード３３の情報を読み取るカード読み取り部３０を有している。図１に示すカード読み取り部３０は、決済端末５に内蔵した形態を示すが、決済端末５にカード読み取り部３０を外付け接続する構成にしてクレジットカード３３の情報を読み取るようにしてもよい。
【００４３】
図１に示す店舗承認装置３５は、店舗を一意に特定するためのものであり、店舗を一意に特定し、顧客が商品、サービスに対してクレジットカード３３により支払った決済額を店舗として承認するための装置であり、以下、本発明の実施例として、店舗承認装置３５としての電子スタンプ３５を使用する例を説明する。
【００４４】
商行為が行なわれた店舗を店舗承認装置３５によって識別、承認するものであるが、店舗の識別、承認を行う店舗承認装置３５は、電子スタンプ３５に限らず、他のものであってもよい。例えば、前もって設定したＩＤ、パスワードを入力したり、店舗の識別するコードを記憶したカードをカード読み取り部３０で読み取るようにしてもよい。また、電子スタンプ３５とＩＤ、パスワード又は店舗の識別するコードを記憶したカードのいずれかと組み合わせるようにしてもよい。また、店舗を特定するための二次元コード、例えばＱＲコード（登録商標）を設定して、ＱＲコードをカメラ等で読み取るようにしてもよい。
【００４５】
また、店舗承認装置３５として、店舗を特定するために生体認証（指紋、静脈、虹彩、顔）、近距離通信、位置情報、無線ＡＰ（ＳＳＩＤ検知）、音波を用いるようにしてもよい。例えば、店舗の位置情報から店舗を特定することも可能である。近距離通信における無線アクセスポイント（ＳＳＩＤ検知）の検出により店舗を特定するようにする。また、店舗毎に特定周波数を発する音源からの音波を検出するようにして店舗を特定することも可能である。また、店舗の担当者の指紋、静脈、虹彩、顔等の生体認証を用いて店舗を特定することも可能である。
【００４６】
店舗承認装置３５としての電子スタンプ３５は、承認情報部３６と決済端末５における表示部１７のタッチパネルのパネル面に接触させる複数の接触子３７とを有し、複数の接触子３７の座標面上の配置が、店舗を一意に特定する情報を構成する。このように、複数の接触子３７の座標面上の配置に対応して前記店舗の情報（店舗ＩＤ）を割り当てることにより一意に店舗を識別することが可能となる。電子スタンプ３５により商行為の情報に対して接触による複数の接触子３７の座標面上の配置のデータ情報は、店舗承認情報として、承認情報入力部９に入力される。
【００４７】
また、店舗承認装置３５の承認情報部３６は、決済端末５のタッチパネルのパネル面（表示部１７）に接触して決済端末５が使用された店舗を一意に特定する店舗情報に、同一の店舗内で商行為の情報を分類するための特性情報を付加し、その特性情報を使い分けて統計情報を取得するようにしてもよいものである。前記特性情報として、例えば、「男女別」の情報、「年代別」の情報、「店員別」の情報等がある。
【００４８】
店舗承認装置３５は商行為が行われる店舗内に１以上配置されている。また、店舗承認装置３５が商行為が行われる店舗内に２以上設置されている場合には２以上の店舗承認装置３５は、店舗の任意の位置で２以上の店舗承認装置３５が承認した店舗が同一の店舗であることを特定する。
店舗内に特性情報が異なる店舗承認装置３５を複数配置することにより、例えば、同一店舗内に特性情報を「男女別」「年代別」等と設定した複数の電子スタンプ３５を用意し、電子スタンプ３５を使い分けることで、商行為の情報を分類するための特性情報を付加して統計を取得することが可能となり、顧客のニーズ、動向等を知ることができる。
【００４９】
なお、承認情報部３６の特性情報に代えて、複数の接触子３７の座標面上の配置の意味に、同一の店舗であること及び特性情報であることを包含する構成としてもよい。
これら特性情報を承認サーバ４０、決済サーバ５０で集計をすることにより、店舗承認装置３５の利用状況、ひいては、顧客の利用状況の統計を取ることができる。
【００５０】
接触子３７は、店舗承認装置３５としての電子スタンプ３５に複数配置され、複数の接触子３７が表示部１７に設けられたタッチパネルに接触すると、複数の接触子３７の座標面上の配置の情報を店舗承認情報として承認情報入力部９に記憶する。接触子３７とタッチパネルは、一般的な静電容量式や感圧式などでよく、特にこれに限定するものではない。
【００５１】
承認サーバ４０は、決済端末５における承認情報入力部９に入力される店舗承認装置３５の店舗承認情報の承認処理を行い、その承認結果を決済端末５の店舗承認入力部１２に送信するサーバである。
図１に示すように、承認サーバ４０の制御部４１は、通信ネットワーク７０に接続して決済端末５と通信を行う通信部４２と、決済端末５の承認情報入力部９が記憶する店舗承認装置３５の承認処理を行う承認処理部４３と、店舗承認装置３５に対応した店舗の情報（店舗ＩＤ）を記憶した店舗データベース４４とを有している。
【００５２】
承認サーバ４０の制御部４１は、コンピュータで構成されており、承認サーバ４０の全体の制御を行う。制御部４１のコンピュータは、店舗承認装置３５の承認処理用プログラムを前もって記憶しており、店舗承認装置３５の承認処理用プログラムを実行することにより各種の処理を行う。
【００５３】
承認サーバ４０の承認処理部４３は、商行為の情報に対応させて店舗承認装置３５により承認情報入力部９に入力された店舗承認情報を店舗データベース４４で検索し、店舗承認装置３５の情報が店舗データベース４４に登録されているかをチェックする。店舗データベース４４に登録されている時には、店舗承認装置３５が一意に特定した情報を承認する処理を行う。例えば、電子スタンプ３５によって接触された複数の接触子３７の座標面上の配置が店舗を一意に特定する情報のときには、店舗データベース４４に記憶されている店舗の情報（店舗ＩＤ）を承認として出力する。承認サーバ４０によって承認された店舗の情報（店舗ＩＤ）は、決済端末５の店舗承認入力部１２に記憶される。
【００５４】
店舗データベース４４（図６に示す）は、店舗の情報（店舗ＩＤ）等の店舗の情報が記憶されている。店舗を識別するため、店舗に配置された店舗承認装置３５の情報を記憶している。例えば、店舗承認装置３５が電子スタンプ３５の場合は、複数の接触子３７の座標面上の配置のデータを店舗承認情報として記憶したり、商行為の情報を分類するための特性情報を記憶したりする。店舗データベース４４への店舗の登録や内容の更新は、初期登録時に店舗データベース４４の管理者へ変更依頼や、店舗が自らＷｅｂ等でメンテナンスできるなどの手段を設けてもよいが、特に限定されるものではない。
【００５５】
商品マスタ４５（図６に示す）は、店舗が取り扱う商行為の対象品を記憶しており、承認サーバ４０から店舗の情報及び商品マスタを読み出して、店舗の情報及び店舗が取り扱う商行為の対象品を商行為の情報として決済端末５の商行為情報入力部８に出力する。商品マスタ４５には、店舗における商品名、商品の価格、値引き率等の情報が登録されている。また、商品マスタ４５の内容のメンテナンスは、店舗から商品マスタ４５の管理者へ変更依頼や、店舗が自らＷｅｂ等でメンテナンスできるなどの手段を設けてもよいが、特に限定されるものではない。
【００５６】
決済サーバ５０は、決済情報出力部２６が出力する商行為の情報、カード情報並びに店舗の情報を紐付けした決済情報に基づいて決済処理を行うサーバである。
【００５７】
図１に示すように、決済サーバ５０は、通信ネットワーク７０に接続して決済端末５と通信を行う通信部５２と、商行為の情報に対する決済処理を行う決済処理部５３と、店舗の情報及びカード情報を記憶した記憶部としてのデータベース５４とを有している。
【００５８】
決済サーバ５０の制御部５１は、コンピュータで構成されており、決済サーバ５０の全体の制御を行う。制御部５１のコンピュータは、商行為の情報に対する決済処理用プログラムを記憶しており、商行為の情報に対する決済処理用プログラムを実行することにより各種の処理を行う。
【００５９】
決済処理部５３は、決済端末５からの店舗の情報及びカード情報に基づいてデータベース５４を検索して決済処理を行う。
【００６０】
具体的には、決済サーバ５０は、決済端末５からの決済要求を受け付けて、決済処理部５３によって決済端末５からの店舗の情報（店舗ＩＤ）、カード情報がデータベース５４に登録されているかを確認して、確認後に店舗の識別情報、カード情報とともに決済額を記憶する。決済処理に問題がないときには、通信部５２を介して決済端末５に受付完了を通知する。また、決済処理に問題があるときには、通信部５２を介して決済端末５に不受理の通知を行う。
【００６１】
データベース５４は、顧客の使用するクレジットカードのカード情報が記憶されている。カード情報として、例えば、顧客名、カード番号、有効期限、上限金額、等が記憶されている。データベース５４に記憶されているカード情報は、一般的なカード情報であり、特に限定されるものではない。
【００６２】
図１に示すように、決済端末５と承認サーバ４０、決済サーバ５０とは、通信ネットワーク７０（通信網）を介して接続されている。通信ネットワーク７０は、広域ネットワークであるインターネット、電話回線網に限らず通信ネットワーク（通信網）として機能するものであればよい。
【００６３】
［第１の実施形態］
次に、第１の実施形態に関する決済処理システム１における決済処理について図２乃至図５を用いて説明する。図２は、第１の実施形態に関する決済処理システムにおける装置間の情報の流れ、動作を示す図、図３は、第１の実施形態に関する決済処理システムにおける動作のフローチャートを示す。図４は、決済端末の表示部に表示された決済を行うための決済表示画面の一例を示す図、図５は、決済端末の表示部に表示された決済完了を通知するための決済完了表示画面の一例を示す図である。尚、以下の説明では、決済端末５としてタブレット端末５、及び店舗承認装置３５として電子スタンプ３５を用いた実施形態について説明する。
【００６４】
図２及び図３に示すように、顧客又は店舗側は、決済端末５としてのタブレット端末５に商品名及びその商品の購入金額を入力する（ステップＳ１）。また、商品名及びその商品の購入金額のタブレット端末５への入力は、表示部に表示されたキーを用いて手動で行ってもよい。また、内蔵カメラ等で２次元コードを読み取るようにしてもよい。
【００６５】
商品名及びその商品の購入金額を入力後に、クレジットカード３３をカード読み取り部３０にセットして、タブレット端末５は、カード情報を読み出してカード情報入力部１１にカード情報を入力する（ステップＳ２）。
【００６６】
タブレット端末５は、カード情報を読み出し後に、図４に示すように、タブレット端末５の表示部１７に、店舗内での商行為の情報（購入商品）と、クレジットカード情報（カード情報）を表示する（ステップＳ３）。表示部１７に表示された商行為の情報には購入商品の商品名、個数、商品の金額、消費税、合計金額、購入日等に関する情報が含まれ、クレジットカード情報にはカード会社名、クレジットの種類、カード番号、カードの有効期限等が含まれる。また、表示部１７の右下には、点線で示す電子スタンプ３５を接触させる接触エリア１８が表示される。タブレット端末５には、接触エリア１８に接触した電子スタンプ３５の接触子３７の座標情報を電子スタンプ３５で一意に特定された店舗情報として認識するアプリが組み込まれている。
【００６７】
店舗の担当者は、タブレット端末５の表示部１７の接触エリア１８に電子スタンプ３５を接触させる（ステップＳ４）。タブレット端末５に組み込まれたアプリで接触エリア１８に接触された電子スタンプ３５の複数の接触子３７の座標面上の配置情報を読み取って、店舗承認情報として承認情報入力部９に入力する（ステップＳ５）。
【００６８】
タブレット端末５は、承認情報入力部９から電子スタンプ３５の前記店舗承認情報を読み出して、承認情報出力部２７から通信ネットワーク７０を介して承認サーバ４０に送信する（ステップＳ６）。
【００６９】
承認サーバ４０は、受信した情報をキーとして店舗の情報を記憶している店舗データベース４４を検索して、電子スタンプ３５が一意に特定した店舗が店舗データベース４４に含まれているか否の承認処理を行い、電子スタンプ３５が一意に特定した店舗が店舗データベース４４に含まれている場合には、その店舗の情報（以下、店舗ＩＤと記す）を取得する（ステップＳ７）。承認サーバ４０は、取得した前記店舗ＩＤを決済端末５に返信する（ステップＳ８）。
承認サーバ４０によって承認された前記店舗ＩＤは、決済端末５の店舗承認入力部１２に入力される。これにより、決済端末５に接触された電子スタンプ３５によって店舗が特定されて、店舗で決済する承認が得られる。承認サーバ４０によって承認された前記店舗情報ＩＤが店舗承認入力部１２に入力されると、図４に示す接触エリア１８には承認された店舗の情報が表示される。承認された店舗の情報には、決済の時刻、店舗ＩＤ、店舗名、担当者等が含まれる。
【００７０】
一方、承認サーバ４０が、電子スタンプ３５の情報から前記店舗ＩＤを取得できなかったときには、店舗承認不可の通知がタブレット端末５に通知されて、表示部１７に店舗承認不可の表示がされる（ステップＳ１５）。
【００７１】
タブレット端末５は、承認サーバ４０による前記店舗ＩＤの取得後に、商行為情報入力部８が取得した商行為の情報と、カード情報入力部１１が取得したカード情報と、店舗承認入力部１２が取得した前記店舗ＩＤとを紐付けした決済情報の作成を行う（ステップＳ９）。
【００７２】
タブレット端末５からの通信部２５における決済情報出力部２６は、上述した商行為の情報及びカード情報に店舗ＩＤ（店舗の情報）を紐付けした決済情報を決済サーバ５０に通信ネットワーク７０を介して送信する（ステップＳ１０）。
【００７３】
決済サーバ５０は、タブレット端末５からの決済情報の決済処理を行う（ステップＳ１１）。具体的には、決済サーバ５０は、承認された店舗ＩＤ及び商行為の情報に基づいてその店舗が取り扱っている例えば商品であるか否かをチェックし、次に承認された店舗ＩＤ及びカード情報に基づいてその店舗内でのカード決済が可能であるか否かをチェックし、これらのチェックがＯＫである場合に決済処理を実行する。
【００７４】
以上のように、店舗内での商行為の情報及びカード情報のチェックを行う際に承認された店舗ＩＤを紐付けし、決済端末を使用する店舗間で店舗ＩＤが切り替わる構成としているため、店舗間で決済端末を使用しても、決済を行う店舗に対応させて店舗情報が切り替わることになり、決済端末を店舗間で共通に利用することができる。
【００７５】
決済サーバ５０は、決済処理の決済結果をタブレット端末５に返信する（ステップＳ１２）。また、決済情報及び決済処理の結果を決済用のデータベース５４に記憶する（ステップＳ１３）。
【００７６】
タブレット端末５は、決済サーバ５０からの決済結果を表示する（ステップＳ１４）。図５は、タブレット端末の表示部１７に、決済結果を表示した一例を示す。図５に示すように、図４に示す決済すべき情報の表示に重畳して「決済されました」と表示される。
【００７７】
一方、決済サーバ５０が決済処理で失敗した場合には、タブレット端末５に決済失敗の情報を出力し、タブレット端末５は、表示部に決済不成立のメッセージを表示する（ステップＳ１６）。
【００７８】
また、タブレット端末５は、決済サーバ５０から決済終了の通知を受け取った後に、所定の時間後にカード情報、店舗ＩＤ等の決済情報を自動的に消去する。なお、当該決済情報を消去する前に、前記店舗が免税店であって、免税品に係る商行為を行った場合は、法で定められた帳票等を印字するようにしても良い。決済情報を自動的に消去することにより、タブレット端末５には、カード情報、店舗ＩＤ等のデータが記憶されていないため、タブレット端末５を貸与元へ返却したり、紛失等の事故によって他人に渡っても、これらの重要なデータが漏れることがない。
【００７９】
［第２の実施形態］
次に、第２の実施形態に関する決済処理システムにおける決済処理について図６及び図７を用いて説明する。
【００８０】
上記の第１の実施形態では、顧客又は店舗側は、決済端末５としてのタブレット端末５に商品名及びその商品の購入金額の入力を、表示部に表示されたキーを用いて手動等で行っている。しかし、このような入力では、顧客又は店舗側での入力に手間がかかるばかりか、入力ミス等により、商行為が正しく行われない場合も考えられる。そこで、本実施形態では、承認サーバ４０は、店舗承認装置３５が配置された店舗の情報の店舗マスタ（店舗データベース）４４及び店舗が取り扱う商行為の対象品の商品マスタ（商品データベース）４５を記憶しており、その記憶している前記店舗の情報を店舗マスタ４４から読み出して承認情報入力部９に入力し、商行為の対象品を商品マスタ４５から読み出して決済端末５の商行為情報入力部８に出力し、商行為情報入力部８は、商行為の対象品に基づいて商行為の前記情報を入力するようにしている。
【００８１】
図６は、第２の実施形態に関する決済処理システムにおける装置間の情報の流れ、動作を示す図、図７は、第２の実施形態に関する決済処理システムにおける動作のフローチャートを示す。
以下の説明では、決済端末５としてタブレット端末５、及び店舗承認装置３５として電子スタンプ３５を用いた実施形態について説明する。
【００８２】
第２の実施形態に関する決済処理システムは、最初に、タブレット端末５に電子スタンプ３５によって店舗を特定して、商行為を開始するものである。
【００８３】
商行為を開始するに際して、最初に、タブレット端末５の表示部１７に、表示部１７の右下には、点線で示す接触エリア１８が表示される。図６及び図７に示すように、店舗の担当者は、タブレット端末５の表示部１７の接触エリア１８に電子スタンプ３５を接触する（ステップＳ２０）。
【００８４】
タブレット端末５は接触エリア１８に接触された電子スタンプ３５の複数の接触子３７の座標面上の配置を読み取って、店舗承認情報として承認情報入力部９に入力する（ステップＳ２１）。
【００８５】
タブレット端末５は、承認情報入力部９から前記店舗承認情報を読み出して、承認情報出力部２７から通信ネットワーク７０を介して承認サーバ４０に送信する（ステップＳ２２）。
【００８６】
承認サーバ４０は、受信した情報をキーとして店舗の情報を記憶している店舗データベース４４を検索して、店舗の情報である店舗ＩＤを取得する（ステップＳ２３）。
【００８７】
また、承認サーバ４０は、当該店舗ＩＤが取り扱う商行為の対象品を記憶したデータベースである商品マスタ４５から、その店舗が取り扱う商品を呼び出して（ステップＳ２４）、前記店舗ＩＤに係る商品マスタの情報を、タブレット端末５に返却し（ステップＳ２５）する。
【００８８】
すると、タブレット端末５の表示部１７には、商品マスタ４５から、その店舗が取り扱う複数の商品と商品の購入金額が表示される（ステップＳ２６）。顧客又は店舗側は、タブレット端末５の表示部１７で商品名及びその商品の購入金額を選択して、入力する（ステップＳ２７）。このように、商品名及びその商品の購入金額の入力は、商行為の対象品を記憶した商品マスタ４５を記憶した承認サーバ４０より出力されて、表示部１７に表示された一覧から選択して、商品名及びその商品の購入金額を入力する。
【００８９】
一方、承認サーバ４０の店舗マスタ４４に基づいて承認された前記店舗ＩＤは、決済端末５の店舗承認入力部１２に入力される。これにより、タブレット端末５に接触された電子スタンプ３５によって店舗が一意に特定されて、図４に示す接触エリア１８には、決済の時刻、店舗ＩＤ、店舗名、担当者等の店舗の情報が表示され、店舗で決済する承認が得られる。一方、承認サーバ４０が、電子スタンプ３５の情報から前記店舗ＩＤを取得できなかったときには、店舗承認不可の通知がタブレット端末５に通知されて、表示部１７に店舗承認不可の表示がされる（ステップＳ３６）。
【００９０】
次に、商品名及びその商品の購入金額を入力後に、クレジットカード３３をカード読み取り部３０にセットして、タブレット端末５は、カード情報を読み出してカード情報入力部１１にカード情報を入力する（ステップＳ２８）。
【００９１】
タブレット端末５は、カード情報を読み出し後に、商行為情報入力部８が取得した商行為の情報及びカード情報入力部１１が取得したカード情報に店舗承認入力部１２が取得した前記店舗ＩＤとを紐付けして決済情報の作成を行う（ステップＳ２９）。
【００９２】
タブレット端末５は、決済情報の作成後に、図４に示すように、タブレット端末５の表示部１７に、商行為の情報及びカード情報に店舗ＩＤを紐付けした決済情報を表示する。表示部１７に表示された決済すべき決済情報のうち商行為の情報には、購入商品の商品名、個数、商品の金額、消費税、合計金額等の情報が含まれている。カード情報にはカード会社名、クレジットの種類、カード番号、カードの有効期限、購入日付等の情報が含まれる。店舗の情報には、店舗ＩＤ，店舗名、担当者等の情報が含まれている。また、表示部１７の右下には、点線で示す電子スタンプ３５を接触させる接触エリア１８が表示される。タブレット端末５には、接触エリア１８に接触した電子スタンプ３５の接触子３７の座標情報を電子スタンプ３５で一意に特定された店舗情報として認識するアプリが組み込まれている。
【００９３】
次に、表示部１７には、決済ボタン（図示せず）が表示される。これは、顧客、店舗が表示内容を確認後に、店舗が決済を承認するための決済ボタンである。
【００９４】
店舗の担当者は、タブレット端末５の表示部１７の前記決済ボタンを押下する（ステップＳ３０）。なお、前記決済ボタンに代えて、再度電子スタンプ３５を接触するようにしてもよい。
【００９５】
タブレット端末５は決済ボタンが接触されると、商行為情報入力部８が取得した商行為の情報及びカード情報入力部１１が取得したカード情報に店舗承認入力部１２が取得した前記店舗ＩＤを紐付けした決済情報を決済サーバ５０に送信する（ステップＳ３１）。タブレット端末５からの通信部２５における決済情報出力部２６は、決済サーバ５０に決済情報を通信ネットワーク７０を介して送信する。
【００９６】
決済サーバ５０は、タブレット端末５からの決済情報の決済処理を行う（ステップＳ３２）。具体的には、決済サーバ５０は、承認された店舗ＩＤ及び商行為の情報に基づいてその店舗が取り扱っている。例えば商品であるか否かをチェックし、次に承認された店舗ＩＤ及びカード情報に基づいてその店舗内でのカード決済が可能であるか否かをチェックし、これらのチェックがＯＫである場合に決済処理を実行する。
【００９７】
第２の実施形態においては、第１の実施形態の効果を得ることができるばかりでなく、承認サーバ４０は、店舗承認装置３５が配置された店舗の情報の店舗マスタ（店舗データベース）４４及び店舗が取り扱う商行為の対象品の商品マスタ（商品データベース）４５を記憶しており、その記憶している前記店舗の情報及び商行為の対象品をそれぞれのマスタ４４、４５から読み出して決済端末５の商行為情報入力部８に出力し、商行為情報入力部８は、店舗の情報およびに商行為の対象品に基づいて商行為の前記情報を入力するようにしているため、顧客又は店舗側での入力の手間を省けるばかりでなく、入力ミス等を排除して商行為が正しく行うことができる。
【００９８】
決済サーバ５０は、決済処理の決済結果をタブレット端末５に返信する（ステップＳ３３）。また、決済情報及び決済処理の結果を決済用もデータベース５４に記憶する（ステップＳ３４）。
【００９９】
タブレット端末５は、決済サーバ５０からの決済結果を表示する（ステップＳ３５）。図５は、タブレット端末５の表示部１７に、決済結果を表示した一例を示す。図５に示すように、図４に示す決済すべき情報の表示に重畳して「決済されました」と表示される。
一方、決済サーバ５０が決済処理で失敗した場合には、タブレット端末５に決済失敗の情報を出力し、タブレット端末５は、表示部に決済不成立のメッセージを表示する（ステップＳ３７）。
【０１００】
また、タブレット端末５は、決済サーバ５０から決済終了の通知を受け取った後に、所定の時間後にカード情報、店舗ＩＤ等の決済情報を自動的に消去する。なお、当該決済情報を消去する前に、前記店舗が免税店であって、免税品に係る商行為を行った場合は、法で定められた帳票等を印字するようにしても良い。決済情報を自動的に消去することにより、タブレット端末５には、カード情報、店舗ＩＤ等のデータが記憶されていないため、タブレット端末５を貸与元へ返却したり、紛失等の事故によって他人に渡っても、これらの重要なデータが漏れることがない。
【０１０１】
第２の実施形態に関する決済処理システムでは、最初に店舗承認装置３５の情報における店舗の承認が承認サーバ４０によって行われ、店舗が特定され、商品マスタから商品情報を取得するため、店舗での商品等の選択、金額の入力処理が簡素化されて、高速処理が可能となる。また、手入力による入力ミス等を防ぐことができる。
【０１０２】
第２の実施形態では承認サーバ４０が店舗マスタ及び商品マスタを備えている構成としたが、決済サーバ５０は、店舗承認装置３５が配置された店舗の情報の店舗マスタ及び店舗が取り扱う商行為の対象品の商品マスタを記憶しており、その記憶している店舗の情報を読み出して決済端末５の店舗承認入力部１２に出力し、商行為の対象品を読み出して決済端末５の商行為情報入力部８に出力し、商行為情報入力部８は、商行為の対象品の情報に基づいて商行為の前記情報を入力する構成としてもよいものである。
【０１０３】
［第３の実施形態］
次に、第３の実施形態に関する決済処理システムにおける決済処理について図８及び図９を用いて説明する。図８は、第３の実施形態に関する決済処理システムにおける装置間の情報の流れ、動作を示す図、図９は、第３の実施形態に関する決済処理システムにおける動作のフローチャートを示す。
【０１０４】
第３の実施形態に関する決済処理システムは、カードの情報の認証を決済サーバに代えて、認証サーバを設けるようにして、カードの認証を認証サーバで行うようにしたものである。
【０１０５】
認証サーバは、通信ネットワーク７０に接続する通信部、カードの認証を行う認証処理部及びカード情報を記憶したデータベースを有している。
【０１０６】
図８及び図９に示すように、顧客又は店舗側は、決済端末５としてのタブレット端末５に商品名及びその商品の購入金額を入力する（ステップＳ４０）。また、商品名及びその商品の購入金額のタブレット端末５への入力は、表示部に表示されたキーを用いて手動で行ってもよい。また、第１の実施例と同様に、内蔵カメラ等で２次元コードを読み取るようにしてもよい。
【０１０７】
商品名及びその商品の購入金額を入力後に、クレジットカード３３をカード読み取り部３０にセットして、タブレット端末５は、カード情報を読み出してカード情報入力部１１にカード情報を入力する（ステップＳ４１）。
【０１０８】
次に、タブレット端末５は、カード情報を読み出し後に、認証サーバ６０にカード情報を出力する。認証サーバ６０は、タブレット端末５からのカード情報をデータベースで検索して有効なカードであるかを認証処理部で認証する（ステップＳ４２）。認証結果は、タブレット端末５に出力される。このとき、タブレット端末５は、カード情報及びカードの認証結果を一時的にカード情報入力部１１に入力する。
【０１０９】
一方、認証サーバ６０が、カード情報からカードが有効かをチェックし、カード認証不可の場合は、カード認証不可の通知がタブレット端末５に通知されて、表示部１７にカード使用不可の表示（図示せず）がされる（ステップＳ５５）。
【０１１０】
タブレット端末５は、カード情報を読み出し後に、図４に示すように、タブレット端末５の表示部１７に、店舗内での商行為の情報（購入商品）と、クレジットカード情報（カード情報）を表示する（ステップＳ４３）。表示部１７に表示された商行為の情報には購入商品の商品名、個数、商品の金額、消費税、合計金額、購入日等に関する情報が含まれ、クレジットカード情報にはカード会社名、クレジットの種類、カード番号、カードの有効期限等が含まれる。また、表示部１７の右下には、点線で示す電子スタンプ３５を接触させる接触エリア１８が表示される。タブレット端末５には、接触エリア１８に接触した電子スタンプ３５の接触子３７の座標情報を電子スタンプ３５で一意に特定された店舗情報として認識するアプリが組み込まれている。
【０１１１】
店舗の担当者は、タブレット端末５の表示部１７の接触エリア１８に電子スタンプ３５を接触させる（ステップＳ４４）。タブレット端末５に組み込まれたアプリで接触エリア１８に接触された電子スタンプ３５の複数の接触子３７の座標面上の配置情報を読み取って、店舗承認情報として承認情報入力部９に入力する（ステップＳ４５）。
タブレット端末５は、承認情報入力部９から前記店舗承認情報を読み出して、承認情報出力部２７から通信ネットワーク７０を介して承認サーバ４０に送信する（ステップＳ４６）。
【０１１２】
承認サーバ４０は、受信した情報をキーとして店舗の情報を記憶している店舗データベース４４を検索して、電子スタンプ３５が一意に特定した店舗が店舗データベース４４に含まれているか否の承認処理を行い、電子スタンプ３５が一意に特定した店舗が店舗データベース４４に含まれている場合には、その店舗の情報である店舗ＩＤを取得する（ステップＳ４７）。承認サーバ４０は、取得した前記店舗ＩＤを決済端末５に返信する（ステップＳ４８）。承認サーバ４０によって承認された前記店舗ＩＤは、決済端末５の店舗承認入力部１２に入力される。これにより、決済端末５に接触された電子スタンプ３５によって店舗が特定されて、店舗で決済する承認が得られる。承認サーバ４０によって承認された前記店舗情報ＩＤが店舗承認入力部１２に入力されると、図４に示す接触エリア１８には承認された店舗の情報が表示される。承認された店舗の情報には、決済の時刻、店舗ＩＤ、店舗名、担当者等が含まれる。
一方、承認サーバ４０が、電子スタンプ３５の情報から前記店舗ＩＤを取得できなかったときには、店舗承認不可の通知がタブレット端末５に通知されて、表示部１７に店舗承認不可の表示がされる（ステップＳ５６）。
【０１１３】
タブレット端末５は、承認サーバ４０による前記店舗ＩＤの取得後に、商行為情報入力部８が取得した商行為の情報及びカード情報入力部１１が取得したカード情報に、店舗承認入力部１２が取得した前記店舗ＩＤとを紐付けした決済情報の作成を行う（ステップＳ４９）。
タブレット端末５からの通信部２５における決済情報出力部２６は、上述した商行為の情報及びカード情報に店舗ＩＤ（店舗の情報）を紐付けした決済情報を決済サーバ５０に通信ネットワーク７０を介して送信する（ステップＳ５０）。
【０１１４】
決済サーバ５０は、タブレット端末５からの決済情報の決済処理を行う（ステップＳ５１）。具体的には、決済サーバ５０は、承認された店舗ＩＤ及び商行為の情報に基づいてその店舗が取り扱っている例えば商品であるか否かをチェックし、次に承認された店舗ＩＤ及びカード情報に基づいてその店舗内でのカード決済が可能であるか否かをチェックし、これらのチェックがＯＫである場合に決済処理を実行する。
【０１１５】
以上のように、店舗内での商行為の情報及びカード情報のチェックを行う際に承認された店舗ＩＤを紐付けし、決済端末を使用する店舗間で店舗ＩＤが切り替わる構成としているため、店舗間で決済端末を使用しても、決済を行う店舗に対応させて店舗情報が切り替わることになり、決済端末を店舗間で共通に利用することができる。
【０１１６】
決済サーバ５０は、決済処理の決済結果をタブレット端末５に返信する（ステップＳ５２）。また、決済情報及び決済処理の結果を決済用もデータベース５４に記憶する（ステップＳ５３）。
【０１１７】
タブレット端末５は、決済サーバ５０からの決済結果を表示する（ステップＳ５４）。図５は、タブレット端末の表示部１７に、決済結果を表示した一例を示す。図５に示すように、図４に示す決済すべき情報の表示に重畳して「決済されました」と表示される。
一方、決済サーバ５０が決済処理で失敗した場合には、タブレット端末５に決済処理失敗の情報を出力し、タブレット端末５は、表示部に決済不成立のメッセージを表示する（ステップＳ５７）。
【０１１８】
このように、カード情報の認証に認証サーバ６０を設けることにより、カードの認証を認証サーバ６０で行い、店舗承認装置の承認を承認サーバ４０で行い、決算を決済サーバ５０で、それぞれ分担して行うことにより、各サーバの負担が軽減され、更に、決済処理システムのセキュリティを向上させることができる。
【０１１９】
以上述べたように、本発明によれば、店舗承認装置を店舗毎に少なくとも一つ配置し、前記店舗承認装置をもって、決済端末が使用された前記店舗を一意に特定し、承認サーバをもって、前記店舗承認装置が一意に承認した情報の承認処理を行うため、これらの一連の処理が店舗毎に実行されることになり、決済端末を使用する店舗間で店舗の情報が切り替わる構成としているため、店舗間で決済端末を使用しても、決済を行う店舗に対応させて店舗情報が切り替わることになり、決済端末を店舗間で共通に利用することができる。
【０１２０】
また、本発明によれば、承認装置のみを設置するだけでそれ以外の設備を設置する必要がなく、設備費が嵩むＰＯＳシステムに代えて決済サーバで決済処理を実行できることになる。
【０１２１】
また、本発明によれば、決済には顧客のカードと、決済端末と、店舗承認装置とが必要であるが、顧客はカードを所持し、各店舗は店舗承認装置を所持し、所持する者が異なる。また決済端末の記憶部にはカード、店舗に関する情報を記憶していないので、高いセキュリティを確保することができる。
【０１２２】
また、本発明によれば、承認サーバ又は決済サーバは、店舗承認装置が配置された店舗の情報及び店舗が取り扱う商行為の対象品の商品マスタを記憶しており、記憶している店舗の情報及び商品マスタを読み出して決済端末の商行為情報入力部に入力することできるため、商行為の情報を簡単に入力することが可能となる。
【０１２３】
また、本発明によれば、店舗承認装置は、商行為が行われる店舗内に１以上配置されているため、購入者が商品を選択したその場所で商品に関する情報を即座に入力することができ、複数の販売員がそれぞれ店舗承認装置を携帯し、それぞれの販売員が個別に商品の情報を入力することができる。
【０１２４】
また、本発明によれば、店舗承認装置は、決済端末のタッチパネルのパネル面に接触させる複数の接触子を有し、複数の接触子の座標面上の配置が、店舗を一意に特定する情報を構成する。これにより、店舗承認装置を簡素化できるため、安価に提供することができる。
【０１２５】
また、本発明によれば、前記店舗を特定する情報に加えて、商行為の情報を分類するための特性情報を付加して、商行為が行われる店舗内に店舗承認装置が２以上配置することにより、例えば、同一店舗内に「男女別」「年代別」等の店舗承認装置を用意し、店舗承認装置を使い分けることで統計を取得することが可能となり、顧客のニーズ、動向等を知ることができる。
【０１２６】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１２７】
１    決済処理システム
５    決済端末（タブレット端末）
６    制御部（コンピュータ）
７    入力部
８    商行為情報入力部
９    承認情報入力部
１１  カード情報入力部
１２  店舗承認入力部
１７  表示部
１８  接触エリア
２５  通信部
２６  決済情報出力部
２７  承認情報出力部
３０  カード読み取り部
３３  カード（クレジットカード）
３５  店舗承認装置
３６  承認情報部
３７  接触子
４０  承認サーバ
４１  制御部
４２  通信部
４３  承認処理部
４４  店舗マスタ
４５  商品マスタ
５０  決済サーバ
５１  制御部
５２  通信部
５３  決済処理部
５４  データベース
６０  認証サーバ
７０  通信ネットワーク
【図１】
2018018519.tif 000003
【図２】
2018018519.tif 000004
【図３】
2018018519.tif 000005
【図４】
2018018519.tif 000006
【図５】
2018018519.tif 000007
【図６】
2018018519.tif 000008
【図７】
2018018519.tif 000009
【図８】
2018018519.tif 000010
【図９】
2018018519.tif 000011